(57)【要約】      （修正有）【課題】従来の試験片収納容器に代わって使用することができ、試験片供給装置にセットされる時点まで一時的に試験片を内部に収納しておくことが可能であるとともに、一時保管の開始時点以降に試験片を他の容器に移し替える必要がなく、試験片供給装置にセットされた時点以降は供給装置による試験片の取り出し処理に供される新規有用な試験片収納容器を提供する。【解決手段】無底無蓋の内部空間を有する筒状のボディ２と、ボディ２の上端部に嵌合可能な筒状の上蓋３とを備え、さらに、ボディ２に対する嵌合形態が上蓋３と互換性のある開閉蓋を、上蓋３に代えてボディ２の上端部に装着可能に構成し、ボディ２に上蓋３が装着された第１装着状態と、ボディ２に開閉蓋が装着された第２装着状態とを選択可能に構成した。【選択図】図１
2018091773.tif 000002
【特許請求の範囲】
【請求項１】
試験片を収納可能な容器であって、
軸方向に一致する上下方向のうち少なくとも上方向に開放された無蓋の内部空間を有する筒状のボディと、
前記ボディの上端部に設定された上側筒状嵌合部に嵌合可能であって且つ前記上側筒状嵌合部の外向き面に摺接可能な内向き面を有する筒状の上蓋と
を備え、
さらに、前記ボディに対する嵌合形態が前記上蓋と同一であり、且つ前記内部空間を上方に開放可能な開放状態と前記内部空間を閉塞可能な閉止状態の間で変更可能な開閉蓋を、前記上蓋に代えて前記ボディの上端部に装着可能に構成し、
前記ボディの上端部に前記上蓋が装着された第１装着状態と、前記ボディの上端部に前記開閉蓋が装着された第２装着状態とを選択可能に構成していることを特徴とする試験片収納容器。
【請求項２】
前記ボディ、前記上蓋、及び前記開閉蓋の外周面が略円筒形状である請求項１に記載の試験片収納容器。
【請求項３】
前記上蓋及び前記開閉蓋は、筒状部と、前記筒状部よりも前記ボディに対する取付方向に沿って延伸するガイド突出部とを備えたものであり、
前記前記ボディは、前記ガイド突出部に嵌合可能なガイド溝部を備えたものである請求項１又は２に記載の試験片収納容器。
【請求項４】
前記ガイド溝部の所定部分または前記ガイド突出部の所定部分の何れか一方に前記ボディの軸心に向かって窪んだ凹部を設け、他方に前記凹部に係合可能な凸部を設け、前記ガイド溝部に前記ガイド突出部が所定分差し込まれた時点で前記凹部及び前記凸部が相互に弾性係合するように設定している請求項３に記載の試験片収納容器。
【請求項５】
前記ボディの内部形状を所定形状に設定可能なインサートをボディに取付可能に構成している請求項１乃至４の何れかに記載の試験片収納容器。
【請求項６】
前記上蓋の下向き面から所定距離下方の位置に配置される上側中蓋を備え、上側中蓋によって、当該試験片収納容器の内部空間が、上方から乾燥剤配置用第１空間、メイン空間の順に区画されている請求項１乃至５の何れかに記載の試験片収納容器。
【請求項７】
前記ボディが、上下方向に開放された無底無蓋の内部空間を有する筒状をなすものであり、
さらに、前記ボディの下端部に設定された下側筒状嵌合部に嵌合可能であって且つ前記下側筒状嵌合部の外向き面に摺接可能な内向き面を有する筒状の下蓋を備え、
前記上蓋及び前記下蓋は相互に互換性を有するものである請求項１乃至６の何れかに記載の試験片収納容器。
【発明の詳細な説明】
【技術分野】
【０００１】
本発明は、試験に供される試験片を内部空間に収納可能な容器に関するものである。
【背景技術】
【０００２】
臨床検査における尿や血液等の液体試料、特に尿試料を分析する場合に用いられる試験片は、専用の試験片ボトル（容器）に多数枚収納された状態で例えば病院等の医療機関や検査機関に輸送され、このような試験片収納容器から１枚ずつ取り出された試験片が所定の分析装置に供給されることによって、液体試料提供者の健康状態等に関する検査・分析結果が得られる。
【０００３】
本出願人は、所定箇所にセットされた上述の試験片収納容器から試験片を一枚ずつ取り出して次工程である測定・分析処理に提供する試験片供給装置を案出し、実用化している（例えば、下記特許文献１、２参照）。このような装置によって、試験片を容器から効率良く取り出して測定・分析処理に供することが可能になり、検体数が多い場合であっても、分析装置による測定の迅速化及び連続処理能力の向上を実現することができている。
【０００４】
ここで、従来から使用されている試験片収納容器は、内部空間に多数枚の試験片を収納可能な有底筒状のボディと、ボディの上開口部を塞ぐ蓋とを備え、ボディの上端部における外周面及び蓋の内周面に形成されたネジ部同士を螺合可能に構成されたものである。このような試験片収納容器は、内部空間に例えば１００本の試験片と適宜の乾燥剤を収納した状態で、蓋部をボディに螺合して装着することで、内部空間の湿度が所定値以下となる良好な気体雰囲気を維持できるように構成された状態で出荷・輸送されている。そして、蓋をボディから取り外した状態の試験片収納容器を試験片供給装置の所定箇所に設置することで、試験片供給装置による供給処理に供され、供給処理完了後、あるいは予定の検体数の測定処理が完了した後に廃棄される。
【先行技術文献】
【特許文献】
【０００５】
【特許文献１】特開平０９−３２５１５２号公報（特許第３６９７５３５号）
【特許文献２】特開２０１５−０６４３１３号公報
【発明の概要】
【発明が解決しようとする課題】
【０００６】
ところで、検体数が多い場合であっても測定・分析処理を迅速且つ連続的に行えるようにするには、例えば試験片収納容器１個当たりの試験片の収納枚数を増大することが考えられるが、この場合、試験片供給装置によって試験片を収納容器内から一枚ずつ取り出す処理を適切に行うことができないおそれがあったり、試験片供給装置の高精度且つ複雑な制御が要求されることで装置の高コスト化につながるといった問題が想定される。一方、試験片供給装置に複数の試験片収納容器をセットすることで、検体数が多い場合にも対応できるようにすることも考えられている。一例として、蓋がボディから取り外された状態の複数の試験片収納容器を装置の所定箇所にセットし、試験片取り出し中の容器は内部空間を開放した状態にする一方で、待機中の容器及び取り出し中ではない容器に対しては、装置側の押さえ蓋でボディの上開口部を塞ぎ、容器の内部空間が大気に晒されることを抑制する構成が挙げられる。しかしながら、押さえ蓋がネジ蓋ほど気密性のある蓋でなければ、取り出される順番が遅い試験片収納容器内の試験片ほど吸湿による劣化の懸念が高まる。加えて、装置の所定箇所にセット可能な試験片収納容器の数と同数以上の押さえ蓋を装置に設ける必要があり、セット可能な試験片収納容器の数の増大化を図ろうとすれば、装置側に設ける押さえ蓋の数も増加し、装置の構造複雑化及びコスト増加を招来し、押さえ蓋のメンテンナンスや交換等の手間も増加する。
【０００７】
また、試験片収納容器自体の製造コスト及び輸送代等のコスト面の負担、或いは使い捨てによる廃棄処理も改善すべき問題として捉えることができる。
【０００８】
また、上述の試験片収納容器を試験片供給装置の所定箇所にセットして使用する場合、輸送中に試験紙が擦れ合って粉塵、繊維屑が発生することがあり、このような粉塵や繊維屑の存在によって、試験片の取り出し障害が起こり得る。
【０００９】
このような問題は、何れも上述のような試験片収納容器を出荷された状態のまま使用することによって生じ得るものであり、改善の余地があると考えられる。
【００１０】
本発明は、このような点に着目してなされたものであって、主たる目的は、これまで使用されていた試験片収納容器に代わって使用することができ、試験片供給装置にセットされる時点まで一時的に試験片を内部に収納しておくことが可能であるとともに、一時保管の開始時点以降に試験片を他の容器に移し替える必要がなく、試験片供給装置にセットされた時点以降は供給装置による試験片の取り出し処理に供される新規有用な試験片収納容器を提供することにある。
【課題を解決するための手段】
【００１１】
すなわち本発明は、試験片を収納可能な容器（試験片収納容器）に関するものであって、軸方向に一致する上下方向のうち少なくとも上方向に開放された無蓋の内部空間を有する筒状のボディと、筒状の上蓋とを備えたものである。上蓋は、ボディの上端部に設定された上側筒状嵌合部に嵌合可能であって且つ上側筒状嵌合部の外向き面に摺接可能な内向き面を有するものである。そして、本発明に係る試験片収納容器は、さらに、ボディに対する嵌合形態が上蓋と同一である開閉蓋を、上蓋に代えてボディの上端部に装着可能に構成し、ボディの上端部に上蓋が装着された第１装着状態と、ボディの上端部に開閉蓋が装着された第２装着状態とを選択可能に構成していることを特徴としている。開閉蓋は、内部空間を上方に開放可能な開放状態と内部空間を閉塞可能な閉止状態の間で変更可能なものである。
【００１２】
ここで、試験片としては、例えば細長い紙或いはプラスチック製のスティックの一面の一端側に試薬層を設け、他端側を把持部に設定したものを挙げることができる。このような試験片は、液体試料（尿、血液等の検査する液体）分析に供されるものであり、試験片収納容器の内部空間に、起立姿勢または起立姿勢に近い姿勢で凭れ掛かった状態で多数（１０枚以上等）収納されるものである。
【００１３】
そして、本発明に係る試験片収納容器であれば、所定の試験片供給装置にセットする時点よりも前の時点である一時保管時に、上蓋をボディに装着した第１装着状態を選択することで、上蓋によって外部から隔離されたボディの内部空間に試験片を収納しておくことができ、試験片供給装置にセットする場合に、開閉蓋をボディに装着した第２装着状態を選択することで、一時保管の開始時点以降に試験片を他の容器に移し替えることなく、試験片供給装置にセットされた時点以降は、開閉蓋を開放状態にすることによって試験片が内部空間から取り出すことができる状態になる。特に、第２装着状態にある試験片収納容器を試験片供給装置に複数セットした場合には、すべての開閉蓋を予め閉止状態に設定しておき、試験片供給装置によって試験片が取り出される対象の試験片収納容器の開閉蓋のみを開放状態にすることで、取り出される順番が遅い試験片収納容器内の試験片であっても、実際に取り出されるまでは閉止状態にある開閉蓋によって外部から隔離された内部空間に収納されていることになるため、外部雰囲気に長時間晒されることによる吸湿劣化を防止・抑制することが可能であり、検体数が多い場合にも好適に対応できる。また、本発明によれば、蓋をボディから取り外した状態で装置にセットされた複数の試験片収納容器のうち待機中の容器や取り出し中ではない容器に対して、装置側の押さえ蓋でボディの上開口部を塞ぐ構成と比べて、押さえ蓋を装置に設ける必要がなく、押さえ蓋の設置に伴う装置の構造複雑化やコスト増加を回避することができ、押さえ蓋のメンテンナンスや交換等に要する手間も不要である。
【００１４】
しかも、本発明に係る試験片収納容器であれば、ボディの上端部に設定された上側筒状嵌合部に筒状の上蓋を装着する処理が、ボディの上方から上蓋を、上側筒状嵌合部の外向き面に上蓋の内向き面を摺接させながら差し込む操作で完了し、このような装着処理によって上側筒状嵌合部に上蓋を嵌合させることができる。したがって、雄ネジ及び雌ネジの螺合によって上蓋をボディに装着する容器の態様と比較して、簡易な処理でボディに上蓋を装着することが可能であるとともに、上側筒状嵌合部の外向き面と上蓋の内向き面が相互に摺接している部分の密閉性が向上する。
【００１５】
さらに、本発明に係る試験片収納容器では、ボディに対する上蓋及び開閉蓋の嵌合形態に互換性があるため、上蓋と開閉蓋を取り替える作業も上蓋の装着処理と同様に容易に行うことができる。
【００１６】
加えて、本発明によれば、出荷・輸送用の容器をそのまま試験片供給装置にセットするのではなく、その容器から本発明に係る試験片収納容器に試験片を移し替え、その試験片収納容器を試験片供給装置にセットして使用することが可能であることから、試験片収納容器を繰り返し使用（リユース）することができ、結果として、コストダウンにも資する。
【００１７】
また、輸送過程では本発明に係る試験片収納容器を用いず、試験片供給装置が導入されている医療施設等に搬入された時点以降に、輸送過程において試験片を収納・包装している収納容器または包装材から試験片を、第１装着状態にある本発明に係る試験片収納容器の内部空間に移し替えるようにすれば、輸送中に試験片が擦れ合って発生する可能性がある粉塵や繊維屑を移し替え時に除去することが可能であり、試験片の取り出し障害を回避することができる。
【００１８】
また、本発明において、ボディ、上蓋及び開閉蓋の各外周面が略円筒形状であれば、第１装着状態にある試験片収納容器全体が円筒形状になり、試験片収納容器全体を起立姿勢や寝かせた姿勢で一時保管することができたり、第１装着状態にある複数の試験片収納容器を所定箇所にストックしておいて、缶飲料やペットボトル飲料の自動販売機のような仕組みに準じて、測定・分析処理に供される試験片収納容器を、所定の溝に沿って滑らせたり、転がして次工程に自動供給することも可能になる。同様に、第２装着状態にある試験片収納容器全体も略円筒形状になり、試験片供給装置の所定スペースに、第２装着状態にある複数の試験片収納容器を積み重ねたり、所定方向に並べて、試験片供給装置内の試験片取り出し位置に向かって順次滑らせて移動させることが可能になり、自動供給処理するのに都合が良い。ここで、本発明における「外周面が略円筒形状」には、「外周面が完全な円筒の形状」は勿論のこと、「外周面の一部に突起または凹部、或いはフラットな平坦面等の部分（非円筒部）を有するものの外周面の大部分が円筒の形状」も含まれる。
【００１９】
本発明において、上蓋及び開閉蓋が、筒状部と、筒状部よりもボディに対する取付方向に沿って延伸するガイド突出部とを備えたものであり、ボディが、ガイド突出部に嵌合可能なガイド溝部を備えたものであれば、ガイド突出部をガイド溝部に案内させることで、ボディに対する上蓋及び開閉蓋の装着処理をスムーズに行うことできるとともに、ボディに対する上蓋及び開閉蓋の装着位置を固定する（位置決め）ことが可能である。なお、本発明では、上蓋及び開閉蓋の筒状部にガイド溝を形成し、ボディに、ガイド溝部に嵌合可能なガイド突出部を備えた構成を採用することも可能であるが、ガイド突出部とガイド溝部との嵌合領域も確保しつつ、各蓋（上蓋開閉蓋）の筒状部とボディの上側筒状嵌合部との嵌合領域を可能な限り大きく確保するには、各蓋（上蓋及び開閉蓋）の筒状部よりもボディに対する取付方向に沿ってガイド突出部を延伸させて設け、ガイド突出部に嵌合可能なガイド溝部をボディに形成する構成が好ましい。
【００２０】
特に、本発明では、ガイド溝部の所定部分またはガイド突出部の所定部分の何れか一方にボディの軸心に向かって窪んだ凹部を設け、他方に軸心に向かって突出する凸部を設け、ガイド溝部にガイド突出部が所定分差し込まれた時点で凹部と凸部とが相互に弾性係合するように設定することもできる。具体的には、ガイド溝部の所定部分に凹部を設け、ガイド突出部の所定部分に凸部を設けた構成や、これとは逆に、ガイド溝部の所定部分に凸部を設け、ガイド突出部の所定部分に凹部を設けた構成を挙げることができる。このような構成を採用すれば、ボディに対する上蓋及び開閉蓋の良好な装着状態を維持することができ、凹部と凸部が弾性係合する事象を作業者は適度なクリック感として感じることができる。したがって、作業者は、クリック感を得る時点までガイド突出部をガイド溝部に差し込むことで、適切な装着状態になったことを把握できる。
【００２１】
また、本発明において、ボディの内部形状を所定形状に設定可能なインサートをボディに取付可能に構成すれば、ボディ自体の形状は単純な筒形状に設定しつつ、インサートの形状によってボディの内部形状を適宜の形状に設定することができる。特に、内部空間に収納された多数の試験片がボディの内周面に付着したり、試験片同士がくっついて取り出し難くなるという不具合を解消するためには、インサートをボディに取り付けた状態で収納容器の内周面にテーパ面や凹凸面が形成されるようなインサートを適用することが好ましい。
【００２２】
本発明に係る試験片収納容器として、上下方向に開放された無底無蓋の内部空間を有する筒状のボディを適用することが可能である。この場合、ボディの下端部に設定された下側筒状嵌合部に嵌合可能な筒状の下蓋を備えた試験片収納容器にして、下蓋が、下側筒状嵌合部の外向き面に摺接可能な内向き面を有し、上蓋と互換性のあるものであれば以下のような利点がある。すなわち、このような試験片収納容器によれば、ボディに対する下蓋の装着処理も、上蓋の装着処理に準じた処理で完了し、下蓋をボディに装着した状態では、下蓋の内向き面がボディの下側筒状嵌合部の外向き面に摺接しているため、内部空間の高い隔離性を確保することができる。また、上蓋と下蓋には互換性を持たせているため、一種類の蓋を用意すれば任意に上蓋又は下蓋として使用（兼用）することができる。
【００２３】
また、下蓋をボディに装着した状態において、下蓋をボディから一旦取り外すと、ボディの内部空間は下方に開放された空間になり、この下開口部を通じて、ボディの内部空間から試験片を迅速に排出・廃棄することができ、使い勝手が向上することも期待できる。ボディの内部空間に試験片を収容（投入・補充）する処理は、上蓋をボディから一旦取り外して、開放された内部空間の上開口部を通じて行うことが想定されるが、下蓋をボディから一旦取り外して下開口部を通じて試験片の補充・収容処理を行うことも可能である。このように、下蓋を備えた試験片収納容器であれば、ボディの内部空間が上方にのみ開放可能に設定された容器と比較して、ボディの内部空間に対する試験片の出し入れ方向の選択肢が増える。
【００２４】
本発明では、上蓋の下向き面から所定距離下方の位置に配置される上側中蓋を備えた試験片収納容器を採用することも可能である。この場合、上側中蓋によって、試験片収納容器の内部空間を、上方から乾燥剤配置用第１空間、メイン空間の順に区画する構成であれば、メイン空間に試験片を収納し、乾燥剤配置第１空間に乾燥剤を配置することで、試験片の周辺雰囲気を低い湿度に維持することが可能である。
【発明の効果】
【００２５】
本発明によれば、ボディの内部空間を外部空間から仕切る上蓋に代えて、上蓋と互換性のある開閉蓋を装着可能に構成しているため、所定の試験片供給装置にセットされる時点までの一時保管時には、ボディに上蓋を装着した第１装着状態を選択することで、外部から隔離された内部空間に試験片を収納しておくことが可能である。また、本発明によれば、試験片供給装置にセットされる直前に上蓋を開閉蓋に取り替えて第２装着状態にすることで、一時保管の開始時点以降に試験片を他の容器に移し替える必要がなく、試験片供給装置による試験片の取り出し処理に供される新規有用な試験片収納容器を提供することができる。特に、本発明によれば、第２装着状態にある試験片収納容器を試験片供給装置に複数セットすることで、吸湿劣化の発生を防止・抑制しつつ、検体数が多い場合にもその検体数に応じて試験片が供給されることになり、好適に対応できる。
【図面の簡単な説明】
【００２６】
【図１】本発明の一実施形態に係る試験片収納容器（第１装着状態）の全体斜視図。
【図２】図１に示す試験片収納容器の平面図。
【図３】図２のＡ方向矢視図。
【図４】図２のＢ方向矢視図。
【図５】図２のｘ−ｘ線断面図。
【図６】図２のｘ−ｘ線断面斜視図。
【図７】同実施形態で適用される試験片の一例を示す全体図。
【図８】同実施形態におけるボディを示す図。
【図９】図８のＡ方向矢視図。
【図１０】図８のＢ方向矢視図。
【図１１】同実施形態における上蓋を示す図。
【図１２】図１１におけるＡ方向矢視図及びＢ方向矢視図。
【図１３】同実施形態におけるインサートを示す図。
【図１４】同実施形態における中蓋（上側中蓋、下側中蓋）を示す図。
【図１５】同実施形態に係る第２装着状態の試験片収納容器の全体斜視図。
【図１６】図１５に示す試験片収納容器の平面図及び底面図。
【図１７】図１６のＡ方向矢視図。
【図１８】図１６のＢ方向矢視図。
【図１９】図１６のＣ方向矢視図。
【図２０】図１６のｘ−ｘ線断面図。
【図２１】図１６のｘ−ｘ線断面斜視図。
【図２２】図１６のｙ−ｙ線断面図。
【図２３】図１６のｙ−ｙ線断面斜視図。
【図２４】同実施形態において開閉蓋が開放状態にある試験片収納容器の図２２対応図。
【図２５】同実施形態における開閉蓋の一部を示す図。
【図２６】図２５のＢ方向矢視図及びＣ方向矢視図。
【図２７】同実施形態における開閉蓋の一部を示す図。
【図２８】図２７のＢ方向矢視図及びＣ方向矢視図。
【発明を実施するための形態】
【００２７】
以下、本発明の一実施形態を、図面を参照して説明する。
【００２８】
本実施形態に係る試験片収納容器１は、図１乃至図６に示すように、ボディ２と、ボディ２の上端部に装着可能な上蓋３と、ボディ２の下端に装着可能な下蓋４とを備え、内部に試験片Ｐ（図７参照）を収納可能なものである。なお、図２は、図１に示す試験片収納容器１の平面図であり、図３は、図２の矢印Ａ方向から見た図（正面図）であり、図４は図２の矢印Ｂ方向から見た図（側面図）である。また、図５は、図２のｘ−ｘ線断面図であり、図６は、同断面斜視図である。
【００２９】
本実施形態で使用する試験片Ｐは、例えば図７に示すように、細長いスティックＰ１を主体とし、スティックＰ１の一端側に複数の試薬層Ｐ２を設け、他端側を把持部Ｐ３に設定したものである。スティックＰ１は、例えば合成樹脂製であり、試薬層Ｐ２を設けた面をオモテ面として扱われるものである。また、把持部Ｐ３の一部には、試験片Ｐの名称またはロゴマーク等が印刷されている。
【００３０】
ボディ２は、図８乃至図１０に示すように、軸方向（長手方向）に一致する上下方向に開放された無底無蓋の内部空間１Ｓを有する円筒状をなし、上端部に設定された上側筒状嵌合部２１と、下端部に設定された下側筒状嵌合部２２と、これら上側筒状嵌合部２１と下側筒状嵌合部２２の間の部分に設定された胴部２３に外観上区別することができる。なお、図８（ａ），（ｂ）はボディ２の平面図，底面図であり、図９は図８の矢印Ａ方向から見た図（正面図）であり、図１０は図８の矢印Ｂ方向から見た図（側面図）である。上側筒状嵌合部２１及び下側筒状嵌合部２２の外周面は、相互に同じ径であって、胴部２３の外周面よりも所定寸法分だけ小さい径に設定され、上側筒状嵌合部２１と胴部２３の境界部分に上側段部２４を有し、下側筒状嵌合部２２と胴部２３の境界部分に下側段部２５を有する。本実施形態では、上下方向に沿った胴部２３の長さを、例えばボディ２の全長に占める６割弱に相当する長さに設定し、上下方向に沿った上側筒状嵌合部２１、下側筒状嵌合部２２のそれぞれの長さを、ボディ２の全長に占める４割強を２等分した長さに設定している。すなわち、上側筒状嵌合部２１及び下側筒状嵌合部２２は、それぞれボディ２全体の２割強を占める領域に形成されている。
【００３１】
また、ボディ２の所定箇所には、後述するインサート５を保持するインサート保持部２６を設けている。本実施形態では、ボディ２の上縁において周方向に等ピッチ（図示例では９０°ピッチ）で形成した切欠溝によってインサート保持部２６を構成している（図８（ａ）及び図９参照）。さらに、ボディ２の胴部２３における外周面には、上側段部２４から下方に向かって所定寸法延伸する上側ガイド溝部２７と、下側段部２５から上方に向かって所定寸法延伸する下側ガイド溝部２８とを形成している。上側ガイド溝部２７及び下側ガイド溝部２８は、それぞれ胴部２３の外周面において１８０°ピッチで計２箇所に形成されている。上側ガイド溝部２７の下端近傍には、ボディ２の軸心に向かって窪んだ上側凹部２７ａが形成され、下側ガイド溝部２８の上端近傍には、ボディ２の軸心に向かって窪んだ下側凹部２８ａが形成されている（図９参照）。
【００３２】
上蓋３は、図１１及び図１２に示すように、円盤状の上蓋本体３１と、上蓋本体３１の周縁から下方に延伸する筒状部３２と、筒状部３２の下端からさらに下方に向かって延伸するガイド突出部３３とを備えたものである。なお、図１１（ａ），（ｂ）は上蓋３の平面図，底面図であり、図１２（ａ），（ｂ）は図１１におけるＡ方向矢視図（正面図），Ｂ方向矢視図（側面図）である。ガイド突出部３３は、上側ガイド溝部２７と同数・同ピッチに設定されている。ガイド突出部３３の下端近傍には、ボディ２の軸心に向かって（上蓋３の軸心に向かって）突出する上側凸部３４を設けている。上蓋本体３１の上向き面には、円環状のリング部３５が設けられている。このリング部３５は、摩擦低減と傷を目立たなくするためのものである。
【００３３】
下蓋４は、上蓋３と同様の形態であり、上蓋３を上下反転させた姿勢で使用されるものである。なお、各図において、下蓋４のうち上蓋３の各部分と対応する部分には、符号の先頭を「３」から「４」に適宜変更して付している。
【００３４】
インサート５は、図５、図６及び図１３に示すように、ボディ２の内部、より具体的にはボディ２の上端部近傍に取付可能なものであり、ボディ２の内部形状を所定形状に設定するためのものである。なお、図１３（ａ），（ｃ）はインサート５の平面図，底面図であり、同図（ｂ）は同図（ａ）におけるＡ方向矢視図（正面図）である。本実施形態では、概略円筒状のインサート５をボディ２に取り付けた状態で、ボディ２の上端部近傍における内周面に、インサート５の外周面５１が添接するように設定している（図５及び図６参照）。インサート５の内周面における下端部は、下端に向かって内径が漸次大きくなるテーパ面５２に設定されている。また、インサート５の上端部における外周面５１には、ボディ２に形成したインサート保持部２６（切欠溝）に挿脱可能な突起部５３を設けている（図１３参照）。本実施形態では、インサート保持部２６の数・ピッチに合わせて、周方向に９０°間隔で突起部５３を設けている。
【００３５】
また、本実施形態の試験片収納容器１は、図５及び図６に示すように、内部空間１Ｓを上方から乾燥剤配置用第１空間１Ｓａ、メイン空間１Ｓｂ、乾燥剤配置用第２空間１Ｓｃの順に仕切ることができるように構成されている。本実施形態では、上蓋３の下向き面から所定距離下方の位置に上側中蓋６を配置するとともに、下蓋４の上向き面から所定距離上方の位置に下側中蓋７を配置することで、試験片収納容器１の内部空間１Ｓが上述のように３つの空間（乾燥剤配置用第１空間１Ｓａ、メイン空間１Ｓｂ、乾燥剤配置用第２空間１Ｓｃ）に仕切られる。
【００３６】
上側中蓋６及び下側中蓋７は、相互に同一形状であり、図１４に示すように、所定の厚みを有する円盤状をなし、厚み方向に貫通する通気孔６１，７１が多数形成されたものである。なお、図１４（ａ）は中蓋（上側中蓋６，下側中蓋７）の平面図であり、同図（ｂ）は同図（ａ）におけるＡ方向矢視図（正面図）である。これら上側中蓋６及び下側中蓋７の外径は、上蓋３及び下蓋４の各筒状部３２、筒状部４２の内径よりも僅かに小さい値に設定されている。したがって、これら各中蓋（上側中蓋６，下側中蓋７）を、上蓋３及び下蓋４の各筒状部３２，筒状部４２に挿入すると、各中蓋（上側中蓋６，下側中蓋７）の外周面６２，７２全体がそれぞれ上蓋３及び下蓋４のうち各筒状部３２，筒状部４２の内周面に接触した状態で嵌合する。なお、上蓋３及び下蓋４には、各筒状部（筒状部３２，筒状部４２）に対する各中蓋（上側中蓋６，下側中蓋７）の挿入深さを規定するストッパ３６，４６を設けている（図５及び図６参照）。本実施形態では、各筒状部（筒状部３２，筒状部４２）の内周面に、高さ方向に延伸するストッパ３６，４６を周方向に等ピッチ（図示例では９０°ピッチ）で設けている。ストッパ３６，４６に当たる位置まで中蓋（上側中蓋６，下側中蓋７）を筒状部（筒状部３２，筒状部４２）に挿入することによって、上蓋３の下向き面と上側中蓋６の間に乾燥剤配置用第１空間１Ｓａが形成され、下蓋４の上向き面と下側中蓋７の間に乾燥剤配置用第２空間１Ｓｃが形成される。また、上側中蓋６と下側中蓋７の間にメイン空間１Ｓｂが形成される。乾燥剤配置用第１空間１Ｓａ及び乾燥剤配置用第２空間１Ｓｃは、中蓋（上側中蓋６，下側中蓋７）の通気孔６１，７１によってメイン空間１Ｓｂと連通し、乾燥剤配置用第１空間１Ｓａ及び乾燥剤配置用第２空間１Ｓｃにそれぞれ適宜の乾燥剤を配置することで、メイン空間１Ｓｂの湿度を所定値以下に維持して、湿気による試験片Ｐの劣化、不良化を防止している。
【００３７】
以上に述べた各パーツは、それぞれ合成樹脂製の一体成形品であり、所定の金型を用いることで大量生産が可能である。上述の各パーツの成形材料としては、ＡＢＳ（アクリロ二トリル・ブタジエン・スチレン樹脂）、ＰＣ（ポリカーボネート）、ＰＥ（ポリエチレン）等を挙げることができる。
【００３８】
以上のパーツからなる試験片収納容器１は、ボディ２の上側筒状嵌合部２１に上蓋３を装着する際に、ボディ２の上方から上蓋３をボディ２の上側筒状嵌合部２１に差し込むことで、茶筒のように、上蓋３の筒状部３２の内周面と上側筒状嵌合部２１の外周面が相互に摺接して密閉度合いが高まる（図５及び図６参照）。また、上蓋３のガイド突出部３３がボディ２の上側ガイド溝部２７に沿うように上蓋３をボディ２に対して差し込むことで、ボディ２に対する上蓋３の相対位置を位置決めすることができるとともに、装着処理をスムーズに行うことができる。さらに、上蓋３をボディ２に対して所定距離差し込んだ時点で、図５及び図６に示すように、ガイド突出部３３の下端近傍に設けた上側凸部３４が、上側ガイド溝部２７の下端近傍に形成している上側凹部２７ａに弾性係合し、良好な装着状態を維持することが可能であり、弾性係合した時点で作業者は適度なクリック感を得ることができる。
【００３９】
ボディ２の下側筒状嵌合部２２に下蓋４を装着する手順は、上蓋３の装着手順に準じて行うことができる。すなわち、下蓋４のガイド突出部４３がボディ２の下側ガイド溝部２８に沿うように下蓋４をボディ２に対して差し込み、所定距離差し込んだ時点で、ガイド突出部４３の上端近傍に設けた下側凸部４４が、下側ガイド溝部２８の上端近傍に形成している下側凹部２８ａに弾性係合する。この装着状態において、下蓋４の筒状部４２の内周面と下側筒状嵌合部２２の外周面が相互に摺接している。
【００４０】
本実施形態の試験片収納容器１は、ボディ２の下端部に下蓋４が装着され且つボディ２の上端部に上蓋３が装着された第１装着状態（図１参照）と、ボディ２の下端部に下蓋４が装着され且つボディ２の上端部に、次に説明する開閉蓋８が装着された第２装着状態（図１５乃至図２２参照）とを選択可能に構成されている。なお、図１６（ａ），（ｂ）には、図１５に示す試験片収納容器１の平面図，底面図を示し、図１７，図１８、図１９には、それぞれ図１６（ａ）のＡ方向矢視図（正面図），Ｂ方向矢視図（側面図），Ｃ方向矢視図（背面図）を示す。また、図２０は、図１６（ａ）のｘ−ｘ線断面図であり、図２１は、同断面斜視図である。さらに、図２２は、図１６（ａ）のｙ−ｙ線断面図であり、図２３は、同断面斜視図である。
【００４１】
開閉蓋８は、ボディ２に対する嵌合形態が上蓋３と同一であり、且つボディ２に装着した状態において内部空間１Ｓ（メイン空間１Ｓｂ）を上方に開放可能な開放状態（図２４参照）と内部空間１Ｓ（メイン空間１Ｓｂ）を閉塞可能な閉止状態の間で変更可能なものである。本実施形態では、開閉蓋８として、上蓋３の筒状部３２とほぼ同一形状の筒状部８１と、筒状部８１の上開口部を回転動作によって開閉可能な開閉蓋本体８２とを備えたものを適用している。
【００４２】
筒状部８１は、図２５及び図２６に示すように、上蓋３の筒状部３２と比較して、開閉蓋本体８２を回動可能に支持する軸支持部８３を備えている点、内周面にストッパ３６，４６を設けていない点で異なるが、その他の形状はほぼ同じである。なお、図２５（ａ），（ｃ）は筒状部８１の平面図，底面図であり、同図（ｂ）は同図（ａ）におけるＡ方向矢視図（正面図）であり、図２６（ａ），（ｂ）は、図２５（ａ）のＢ方向矢視図，Ｃ方向矢視図である。本実施形態では、軸支持部８３として、筒状部８１の外周面における所定箇所から外側方に向かって平行に突出する２つの支持板を適用している。各軸支持部８３は、所定寸法隔てて相互に対向する位置に設けられ、後述するヒンジ軸８７を回転可能に支持する支持孔８３ａが形成されている。
【００４３】
また、開閉蓋８は、上蓋３と同様に、筒状部８１の下端からさらに下方に向かって延伸するガイド突出部８４と、ガイド突出部８４の下端近傍に設けた凸部８４ａとを備えている。
【００４４】
開閉蓋本体８２は、図２７及び図２８に示すように、筒状部８１の上開口部を閉止可能な開閉可能な円盤部８５と、円盤部８５の外周縁における所定領域から外側方に向かって突出する外方突出部８６と、外方突出部８６の所定箇所に設けたヒンジ軸８７とを備えたものである。なお、図２７（ａ），（ｃ）は開閉蓋本体８２の平面図，底面図であり、同図（ｂ）は同図（ａ）におけるＡ方向矢視図（正面図）であり、図２８（ａ），（ｂ）は、図２７（ａ）のＢ方向矢視図，Ｃ方向矢視図である。開閉蓋本体８２は、円盤部８５のうち中央部分に他の部分（外周部）よりも下方に窪んだ形状に設定した下方窪み部８８を有し、この下方窪み部８８の外周縁部全体が、ボディ２の内周面（本実施形態ではインサート５の内周面）における上端部近傍領域に接触した状態で嵌合するように設定されている（図２０等参照）。
【００４５】
ヒンジ軸８７は、外方突出部８６のうち図２２等に示す第２装着状態においてボディ２の外周面よりもボディ２の軸心から離れた所定箇所に設けられている。本実施形態では、比較的薄い板状をなす外方突出部８６の所定部分に、ヒンジ軸８７の軸方向に延伸する半円柱状の軸補強部８９を設け、ヒンジ軸８７を軸補強部８９及び外方突出部８６に跨がる直径を有するものに設定している（図２７（ｂ）及び図２８（ｂ）参照）。そして、開閉蓋本体８２のヒンジ軸８７を筒状部８１の軸支持部８３に挿入して枢支させることで、開閉蓋本体８２及び筒状部８１を相互に一体的に組み付けた開閉蓋８になり、この開閉蓋２を、ボディ２に対する上蓋３の装着手順に準じて行うことができる。すなわち、開閉蓋８のガイド突出部８４がボディ２の上側ガイド溝部２７に沿うように開閉蓋８をボディ２に対して差し込み、所定距離差し込んだ時点で、ガイド突出部８４の下端近傍に設けた凸部８４ａが、上側ガイド溝部２７の下端近傍に形成している上側凹部２７ａに弾性係合する。この装着状態において、開閉蓋８の筒状部８１の内周面と上側筒状嵌合部２１の外周面が相互に摺接している。
【００４６】
本実施形態に係る試験片収納容器１は、以上の手順によってボディ２の上端部に開閉蓋８を装着することができ、図２２等に示す閉止状態にある開閉蓋８に対して所定の操作力、具体的には、外方突出部８６のうちヒンジ軸８７よりも突出端側の領域を下方に押圧する操作力が付与されることによって、開閉蓋本体８２がヒンジ軸８７周りに回動して、図２４に示すように、試験片収納容器１の内部空間１Ｓを上方に開放する開放状態になる。本実施形態において、「開閉蓋８が開放状態になる」とは、「内部空間１Ｓに収納している試験片Ｐが取出可能な状態になる」ことであり、内部空間１Ｓ全体を上方に開放した状態、または内部空間１Ｓの一部を開放した状態の何れも含む。図２４には、開閉蓋本体８２が閉止状態の位置からヒンジ軸８７周りに最も回転した位置に位置付けられた開放状態を示している。この状態では、外方突出部８６の突出端８６ａが、筒状部８１の外周面に当たることによってそれ以上同一方向への回転を規制している。また、開放状態にある開閉蓋８を閉止状態にするには、開閉蓋本体８２に対して、筒状部８１の上開口部を閉じる方向に押圧する所定の操作力（例えば、開放状態における開閉蓋本体８２の上端部近傍を筒状部８１側に近付ける方向へ押圧または引っ張る操作力）が付与されることによって、開閉蓋本体８２がヒンジ軸８７周りに回動して、図２２等に示すように、試験片収納容器１の内部空間１Ｓを外部から隔離した閉止状態になる。
【００４７】
以上に説明した本実施形態に係る試験片収納容器１は、例えば試験片Ｐを用いた測定・分析処理が可能な装置が導入されている例えば医療機関等（以下では「装置導入現場」）において好適に使用されるものである。使用方法について、以下に説明すると、先ず、装置導入現場において、予め第１装着状態（ボディ２の下端部に下蓋４が装着され且つボディ２の上端部に上蓋３が装着された状態）にある試験片収納容器１が用意されており、他の収納容器または梱包材で収納・梱包された状態で装置導入現場まで輸送された規定枚数の試験片Ｐ（例えば１００枚の試験片Ｐ）を、第１装着状態にある試験片収納容器１の内部空間１Ｓ、具体的にはボディ２の内部空間１Ｓ（メイン空間１Ｓｂ）に移し替える。この移し替え作業は手作業であってもよいし、適宜の装置を用いた自動処理であっても構わない。なお、第１装着状態にある試験片収納容器１のうち、上蓋３の下向き面と上側中蓋６の間に形成されている乾燥剤配置用第１空間１Ｓａ、及び下蓋４の上向き面と下側中蓋７の間に形成されている乾燥剤配置用第２空間１Ｓｃにそれぞれ乾燥剤がセットされている。そして、試験片Ｐの移し替え処理は、乾燥剤配置用第１空間１Ｓａに乾燥剤がセットされたままの状態で、上蓋３をボディ２から一旦取り外す処理と、ボディ２の内部空間１Ｓに試験片Ｐを収納する処理と、上蓋３をボディ２に再装着する処理をこの順に経ることで完了する。本実施形態に係る試験片収納容器１は、下蓋４もボディ２から取り外し可能に装着されているため、試験片Ｐの移し替え処理を、下蓋４をボディ２から一旦取り外す処理と、ボディ２の内部空間１Ｓに試験片Ｐを収納する処理と、下蓋４をボディ２に再装着する処理をこの順に経ることで完了することも可能である。ボディ２に対する上蓋３や下蓋４の取り外し作業は、上蓋３及び下蓋４をボディ２から引き離すことで行うことができる。
【００４８】
第１装着状態にある試験片収納容器１は、内部空間１Ｓ（メイン空間１Ｓｂ）に試験片Ｐを規定枚数（例えば１００枚）収容した状態で、装置導入現場において一時的に保管される。
【００４９】
そして、試験片Ｐを用いた測定を実施する際には、上蓋３をボディ２から取り外し、上蓋３に代えて開閉蓋８をボディ２に装着した第２装着状態とし、この第２装着状態の試験片収納容器１を、装置の所定位置にセットする。所定位置にセットされた試験片収納容器１の開閉蓋８は、当該装置に備えられた適宜の蓋開閉機構によって、閉止状態から開放状態に切り替えられ、メイン空間１Ｓｂに収納している試験片Ｐが適宜のピックアップ機構によって１枚ずつ取り出されて次工程である測定・分析処理に提供される。
【００５０】
ここで、蓋開閉機構及びピックアップ機構を有する装置を試験片供給装置とした場合、試験片供給装置は、分析装置と一体不可分なもの（分析装置と共に全自動分析装置を構成する装置）であってもよいし、分析装置とは別体の専用装置であってもよい。
【００５１】
試験片供給装置には、第２装着状態にある複数の試験片収納容器１をセットすることができ、これにより、多数の被検体に関する試験片を用いた測定処理にも好適に対応することが可能である。測定処理が完了した後、試験片収納容器１は、そのまま廃棄されてもよいが、再利用することもできる。
【００５２】
以上に詳述したように、本実施形態に係る試験片収納容器１は、試験片Ｐを収納可能な容器であって、無底無蓋の内部空間１Ｓを有する筒状のボディ２に対して、ボディ２の上側筒状嵌合部２１に嵌合可能な筒状の上蓋３と、ボディ２の下側筒状嵌合部２２に嵌合可能な筒状の下蓋４とを相互に互換性のある形状に設定し、さらに、ボディ２に対する嵌合形態が上蓋３と完全に一致する開閉蓋８をボディ２の上端部に、上蓋３に代えて装着可能に構成している。このような構成であるため、所定の試験片供給装置にセットする時点よりも前の時点である一時保管時には、ボディ２に下蓋４と上蓋３を装着した第１装着状態を選択することで、上蓋３及び下蓋４によって外部から隔離された内部空間１Ｓ（メイン空間１Ｓｂ）に規定枚数の試験片Ｐを収納しておくことができる。また、所定の試験片供給装置に本実施形態に係る試験片収納容器１をセットする場合には、ボディ２に下蓋４と開閉蓋８を装着した２装着状態を選択することで、一時保管の開始時点以降に試験片Ｐを他の容器に移し替える処理が要求されることなく、試験片供給装置にセットされた時点以降は、開閉蓋８を閉止状態から開放状態にすることによって試験片Ｐをメイン空間１Ｓｂから取り出して次工程に提供することが可能な状態になる。
【００５３】
特に、本実施形態に係る試験片収納容器１によれば、第２装着状態にある試験片収納容器１を試験片供給装置に複数セットする場合に、各試験片収納容器１の開閉蓋８を全て閉止状態に設定しておき、試験片供給装置によって試験片Ｐが取り出される対象の試験片収納容器１の開閉蓋８のみを開放状態にすることで、取り出される順番が遅い試験片収納容器１内の試験片Ｐであっても、実際に取り出されるまでは閉止状態にある開閉蓋８と下蓋４によって外部から隔離された内部空間１Ｓ（メイン空間１Ｓｂ）に収納されていることになるため、外部雰囲気に長時間晒されることによる吸湿劣化を防止・抑制することが可能であり、検体数が多い場合にも好適に対応できる。
【００５４】
しかも、上蓋３及び開閉蓋８が互換性を有し、ボディ２に対する嵌合形態が同じであるため、上蓋３と開閉蓋８を取り替える作業も容易に行うことができるとともに、第１装着状態では、上蓋３及び下蓋４の内向き面（筒状部３２の内向き面，筒状部４２の内向き面）がそれぞれボディ２の上側筒状嵌合部２１、下側筒状嵌合部２２の外向き面に摺接しているため、内部空間１Ｓ（メイン空間１Ｓｂ）の外部に対する高い隔離性を確保することができる。また、第２装着状態では、開閉蓋８の内向き面（筒状部８１の内向き面）がボディ２の上側筒状嵌合部２１の外向き面に摺接しているため、開閉蓋８が閉止状態にあれば内部空間１Ｓの外部に対する高い隔離性を確保することができる。
【００５５】
加えて、本実施形態に係る試験片収納容器１によれば、第１装着状態及び第２装着状態の何れにおいても下蓋４をボディ２から一時的に取り外することによって、ボディ２の内部空間１Ｓは下方に開放された空間になり、この下開口部を通じて、内部空間１Ｓ（メイン空間１Ｓｂ）に試験片Ｐを補充・収容したり、所定の処理後等において内部空間１Ｓ（内部空間１Ｓｂ）から試験片Ｐを排出・廃棄することができる。したがって、内部空間１Ｓが上方にのみ開放可能に設定された容器と比較して、内部空間１Ｓに対する試験片Ｐの出し入れ方向の選択肢が増え、使い勝手が向上することも期待できる。
【００５６】
また、輸送過程では本実施形態に係る試験片収納容器１を用いずに、装置導入現場に搬入された時点以降に、輸送過程において収納容器または包装材に収納・包装されている試験片Ｐを、第１装着状態にある試験片収納容器１の内部空間１Ｓに移し替えるようにすれば、輸送中に試験片が擦れ合って発生する可能性がある粉塵や繊維屑を移し替え時に除去することが可能であり、試験片Ｐの取り出し障害を回避することができる。このような使用態様を採用することによって試験片収納容器１を繰り返し使用することも可能になる。
【００５７】
また、本実施形態では、ボディ２、上蓋３及び下蓋４の各外周面が略円筒形状であるため、第１装着状態にある試験片収納容器１全体が円筒形状になり、試験片収納容器１全体を起立姿勢や寝かせた姿勢で一時保管することができたり、第１装着状態にある複数の試験片収納容器１を所定箇所にストックしておいて、測定・分析処理に供される試験片収納容器１を所定の溝に沿って滑らせたり、転がして次工程に自動供給することも可能になる。さらに、開閉蓋８の外周面は、一部に突起（軸支持部８３）があるものの大部分が略円筒形状であるため、このような開閉蓋８をボディ２に装着した第２装着状態にある試験片収納容器１全体も略円筒形状になる。したがって、第２装着状態にある複数の試験片収納容器１を、試験片供給装置の所定スペースに高さ方向に積み重ねたり、試験片供給装置の奥行き方向または幅方向に並ぶように整列させて、試験片供給装置内の試験片取り出し位置に向かって順次滑らせて移動させることが可能になり、自動供給処理を行うのに都合が良い。なお、第２装着状態にある複数の試験片収納容器１を積み重ねたり、並べて整列させる際には、各開閉蓋８の外周面にある突起（軸支持部８３）が同じ方向を向くように揃えて整列させることで、その後の開閉蓋８の開閉処理を適切に行うことができる。
【００５８】
また、本実施形態に係る試験片収納容器１は、上蓋３、下蓋４、及び開閉蓋８として、筒状部（筒状部３２，筒状部４２，筒状部８１）と、筒状部（筒状部３２，筒状部４２，筒状部８１）よりもボディ２に対する取付方向（ボディ２の上下方向と一致し且つ取り付け処理時に各蓋を差し込む方向）に沿って延伸するガイド突出部（ガイド突出部３３，ガイド突出部４３，ガイド突出部８４）とを備えたものを適用し、ボディ２として、筒状部（筒状部３２，筒状部４２，筒状部８１）の内周面に摺接可能な筒状嵌合部（上側筒状嵌合部２１，下側筒状嵌合部２２）と、筒状部（筒状部３２，筒状部４２，筒状部８１）よりもボディ２の上下方向中心に向かって延伸し且つガイド突出部（ガイド突出部３３，ガイド突出部４３，ガイド突出部８４）に若干あそびのある状態で嵌合可能なガイド溝部（上側ガイド溝部２７，下側ガイド溝部２８）とを備えたものを適用している。これにより、ガイド突出部（ガイド突出部３３，ガイド突出部４３，ガイド突出部８４）をガイド溝部（上側ガイド溝部２７、下側ガイド溝部２８）に案内させることで、ボディ２に対する上蓋３、下蓋４、開閉蓋８の取り付け位置を固定する（位置決め）ことができる。
【００５９】
特に、本実施形態に係る試験片収納容器１は、ガイド溝部（上側ガイド溝部２７、下側ガイド溝部２８）の所定部分にボディ２の軸心に向かって窪んだ凹部（上側凹部２７ａ、下側凹部２８ａ）を設け、ガイド突出部（ガイド突出部３３，ガイド突出部４３，ガイド突出部８４）の所定部分にボディ２の軸心に向かって突出する凸部（上側凸部３４，下側凸部４４，凸部８４ａ）を設け、凹部（上側凹部２７ａ、下側凹部２８ａ）と凸部（上側凸部３４，下側凸部４４，凸部８４ａ）とを相互に弾性係合可能に構成している。これにより、ボディ２に対する上蓋３、下蓋４、開閉蓋８の良好な装着状態を維持することができるとともに、凹部（上側凹部２７ａ、下側凹部２８ａ）と凸部（上側凸部３４，下側凸部４４，凸部８４ａ）が弾性係合する事象や、凹部（上側凹部２７ａ、下側凹部２８ａ）と凸部（上側凸部３４，下側凸部４４，凸部８４ａ）との弾性係合が解除される事象を、作業者は適度なクリック感として感じることができ、装着処理や取り外し処理を適切に行うことができる。
【００６０】
また、本実施形態に係る試験片収納容器１は、ボディ２の内部形状を所定形状（具体的には既存の試験片保管容器の内部形状）に設定可能なインサート５をボディ２に取付可能に構成しているため、ボディ２として、内周面が比較的単純な円筒形のものを採用することが可能である。試験片Ｐがボディ２の内周面にひっつき難くなるようにボディ２の上端部近傍に絞り部分ができるような形状のインサート５をボディ２に取り付けることで、試験片Ｐを内部空間１Ｓから適切に取り出すことが可能になる。
【００６１】
本実施形態に係る試験片収納容器１では、上蓋３の下向き面から所定距離下方の位置に配置される上側中蓋６と、下蓋４の上向き面から所定距離上方の位置に配置される下側中蓋７とを備え、これら上側中蓋６及び下側中蓋７によって、試験片収納容器１の内部空間１Ｓを、上方から乾燥剤配置用第１空間１Ｓａ、メイン空間１Ｓｂ、乾燥剤配置用第２空間１Ｓｃの順に仕切るように構成している。これにより、簡単な構造でありながら、乾燥剤配置用第１空間１Ｓａ及び乾燥剤配置用第２空間１Ｓｃの両方または一方に乾燥剤を配置することで、試験片Ｐが収納されるメイン空間１Ｓｂを適切な湿度の空間に維持することが可能である。
【００６２】
なお、本発明は上述した実施形態に限定されるものではない。例えば、上述の実施形態では、開閉蓋がヒンジ軸周りに回転することで閉止状態と開放状態の間で切り替わるように設定した態様を例示したが、開閉蓋の全部または一部が所定方向に直線的に移動（無段階的なスライド移動または所定ピッチ単位の段階的なスライド移動等）することで閉状態と開放状態の間で切り替わるように設定することも可能である。
【００６３】
また、ボディや上蓋、下蓋、開閉蓋の外向き面（外周面）を円形状に設定したものを例示したが、外向き面の一部を平坦状に設定したり、外向き面の一部に凸部または凹部を形成したり、外向き面全体を多角形状に設定してもよい。特に、第２装着状態で装置の所定位置にセットした際に、当該装置側に設けた容器保持部に適切に保持される形状に設定することが好ましい。ボディ、下蓋または開閉蓋のうち少なくとも何れかの１つのパーツ（例えば開閉蓋）が、外周面の一部に、円形ではない部分（非円形部）を有するものであれば、第２装着状態にある複数の試験片収納容器を装置に整列させてセットする際に、非円形部を目印として各試験片収納容器の向きを揃えることで、整然と並ばせることができ、装置内における開閉蓋の姿勢・向きも揃えることができる。その結果、装置内の蓋開閉機構による開閉処理の更なる安定化を図ることが可能になり、検体数が多い場合にも適切に対応することができる。
【００６４】
また、相互に嵌合するガイド突出部及びガイド溝部の形状や数は適宜変更することができる。なお、各蓋（上蓋、下蓋、開閉蓋）の筒状部にガイド溝を形成し、ボディに、ガイド溝部に嵌合可能なガイド突出部を備えた構成を採用することも可能である。
【００６５】
上述した実施形態では、ガイド溝部の所定部分にボディの軸心に向かって窪んだ凹部を設け、ガイド突出部の所定部分に軸心に向かって突出する凸部を設けた構成を例示したが、ガイド溝部の所定部分にボディの軸心に向かって突出する凸部を設け、ガイド突出部の所定部分に軸心に向かって窪んだ凹部を設けた構成を採用しても構わない。
【００６６】
各蓋の筒状部とボディが相互に摺接することで良好な嵌合状態を維持することが可能であれば、ガイド突出部やガイド溝部を備えていない構成であってもよい。
【００６７】
インサートの形状も適宜変更することができ、予め複数種類用意された形状の異なるインサートから試験片の種類や形状等に応じて適宜選択したインサートをボディに取り付けるようにしても構わない。ボディに複数のインサートを取り付けるように構成することも可能である。一方で、ボディに対するインサートの取り付けを必須としない構成を採用することもできる。インサートが不要な場合や、ボディの上端部と下端部の両方に上述した構成でインサートを取り付ける場合には、ボディを中心軸方向に上下対称な形状としておけば、上蓋と下蓋が互換性を有していることからボディを上下問わずに使用することができる。
【００６８】
また、中蓋として上側中蓋または下側中蓋の何れかのみを備えた試験片収納容器にしたり、中蓋を備えていない試験片収納容器にすることも可能である。気密性を高めるために、適宜箇所にパッキンを取り付けた構成を採用することもできる。
【００６９】
上述の実施形態では、無底無蓋の内部空間を有する筒状のボディに対して、上蓋及び下蓋を装着可能な試験片収納容器を例示したが、上方向にのみ開口した有底無蓋の内部空間を有するボディを備えた試験片収納容器であってもよい。この場合、ボディは、下蓋として機能する底部と、胴体とを一体化したものになり、ボディとは別パーツの下蓋を要する態様と比較して、構造の簡略化（部品点数の削減）とコストダウンを図ることが可能である。なお、ボディとは別パーツの下蓋が不要である試験片収納容器であれば、ボディの上端部に上蓋が装着された第１装着状態と、ボディの上端部に開閉蓋が装着された第２装着状態とを選択することができる。このような態様であっても、第１装着状態と第２装着状態とを適宜選択することによって、上述とほぼ同様の作用効果を得ることができる。
【００７０】
収納対象の試験片の形状や試験用途も特に限定されない。
【００７１】
その他、各部の具体的構成についても上記実施形態に限られるものではなく、本発明の趣旨を逸脱しない範囲で種々変形が可能である。
【符号の説明】
【００７２】
１…試験片収納容器
１Ｓ…内部空間
１Ｓａ…乾燥剤配置用第１空間
１Ｓｂ…メイン空間
１Ｓｃ…乾燥剤配置用第２空間
２…ボディ
２１…上側筒状嵌合部
２２…下側筒状嵌合部
２７，２８…ガイド溝部（上側ガイド溝部，下側ガイド溝部）
２７ａ，２８ａ…凹部（上側凹部２７ａ，下側凹部２８ａ
３…上蓋
４…下蓋
５…インサート
６…上側中蓋
７…下側中蓋
８…開閉蓋
３２，４２，８１…筒状部
３３，４３，８４…ガイド突出部
３４，４４，８４ａ…凸部（上側凸部，下側凸部，凸部）
Ｐ…試験片
【図１】
2018091773.tif 000003
【図２】
2018091773.tif 000004
【図３】
2018091773.tif 000005
【図４】
2018091773.tif 000006
【図５】
2018091773.tif 000007
【図６】
2018091773.tif 000008
【図７】
2018091773.tif 000009
【図８】
2018091773.tif 000010
【図９】
2018091773.tif 000011
【図１０】
2018091773.tif 000012
【図１１】
2018091773.tif 000013
【図１２】
2018091773.tif 000014
【図１３】
2018091773.tif 000015
【図１４】
2018091773.tif 000016
【図１５】
2018091773.tif 000017
【図１６】
2018091773.tif 000018
【図１７】
2018091773.tif 000019
【図１８】
2018091773.tif 000020
【図１９】
2018091773.tif 000021
【図２０】
2018091773.tif 000022
【図２１】
2018091773.tif 000023
【図２２】
2018091773.tif 000024
【図２３】
2018091773.tif 000025
【図２４】
2018091773.tif 000026
【図２５】
2018091773.tif 000027
【図２６】
2018091773.tif 000028
【図２７】
2018091773.tif 000029
【図２８】
2018091773.tif 000030